(57)【要約】【課題】機器を大型化することなく、簡易な構成でフレキシブル基板を安定して規制し、かつクロストークの影響を低減可能な電子機器を提供すること。【解決手段】基板間の接続を行う第１のフレキシブル基板（３０）と、第２のフレキシブル基板（４０）を備えた電子機器において、前記第２のフレキシブル基板（４０）は１平面内に曲げ形状部（４１）を持っており、前記第２のフレキシブル基板（４０）は前記曲げ形状部（４１）の領域で、前記第１のフレキシブル基板（３０）に重なり、前記第２のフレキシブル基板の前記曲げ形状部（４１）の領域は、それ以外の領域よりも柔らかく、前記曲げ形状部（４１）の内側（４１ａ）は外側（４１ｂ）よりも柔らかく、前記第２のフレキシブル基板（４０）は、展開形状（４４）における第１の曲げ角（４４ａ）よりも、小さい第２の曲げ角（４０ａ）で固定されることを特徴とする。【選択図】図６
2018181967.tif 000002
【特許請求の範囲】
【請求項１】
基板間の接続を行う第１のフレキシブル基板と、第２のフレキシブル基板を備えた電子機器において、
前記第２のフレキシブル基板は１平面内に曲げ形状部を持っており、
前記第２のフレキシブル基板は前記曲げ形状部の領域で、前記第１のフレキシブル基板に重なり、
前記第２のフレキシブル基板の前記曲げ形状部の領域は、それ以外の領域よりも柔らかく、前記曲げ形状部の内側は外側よりも柔らかく、
前記第２のフレキシブル基板は、展開形状における第１の曲げ角よりも、小さい第２の曲げ角で固定される
ことを特徴とする電子機器。
【請求項２】
前記曲げ形状部は、その他の領域よりも、配線密度が低いことを特徴とする請求項１に記載の電子機器。
【請求項３】
前記曲げ形状部は、その他の領域よりも、カバーレイフィルムの開口率が高いことを特徴とする請求項１又は請求項２に記載の電子機器。
【請求項４】
前記曲げ形状部の内側は外側よりも、配線密度が低いことを特徴とする請求項１乃至請求項３の何れか一項に記載の電子機器。
【請求項５】
前記曲げ形状部の内側は外側よりも、カバーレイフィルムの開口率が高いことを特徴とする請求項１乃至請求項４の何れか一項に記載の電子機器。
【請求項６】
前記第２のフレキシブル基板には、所定のインピーダンス値で配線された信号線が配線されており、前記信号線は前記曲げ形状部の内側を配線されることを特徴とする請求項１乃至請求項５の何れか一項に記載の電子機器。
【請求項７】
前記第２のフレキシブル基板には、アナログ信号線が配線されており、前記信号線は前記曲げ形状部の内側を配線されることを特徴とする請求項１乃至請求項６の何れか一項に記載の電子機器。
【請求項８】
前記第２のフレキシブル基板には、クロック信号線が配線されており、前記信号線は前記曲げ形状部の内側を配線されることを特徴とする請求項１乃至請求項７の何れか一項に記載の電子機器。
【請求項９】
前記第２のフレキシブル基板を固定する筐体を備え、前記第２のフレキシブル基板は、前記筐体に固定されることを特徴とする請求項１乃至請求項８の何れか一項に記載の電子機器。
【請求項１０】
前記第２のフレキシブル基板は、前記曲げ形状部の外側を前記筐体に固定することを特徴とする請求項１乃至請求項９の何れか一項に記載の撮像装置。
【発明の詳細な説明】
【技術分野】
【０００１】
本発明は、電子機器に関し、特にフレキシブル基板を備えた構成に関する。
【背景技術】
【０００２】
従来、デジタルカメラなどの電子機器の内部において、屈曲可能で配置の自由度に優れているフレキシブル基板が用いられている。
【０００３】
近年の電子機器の小型化に伴い、電子機器内部の空間は縮小傾向にあるため、複数のフレキシブル基板が密集して配置されたり、複数のフレキシブル基板同士が重なった状態で配置されたりする。このような電子機器において、フレキシブル基板は筐体内部で安定して規制されることが望ましい。
【０００４】
従来、第１のフレキシブル基板を、近接する第２のフレキシブル基板にて、規制する対策が施されている。特許文献１には、第１のフレキシブル基板の外形に設けられた規制形状によって、第２のフレキシブル基板を固定する技術が開示されている。
【先行技術文献】
【特許文献】
【０００５】
【特許文献１】特開２００９−２６０１４０号公報
【発明の概要】
【発明が解決しようとする課題】
【０００６】
しかしながら、特許文献１においては、第１のフレキシブル基板の外形に規制形状を設ける必要があり、フレキシブル基板の大型化によって、電子機器の大型化や、コストの増加につながる恐れがある。
【０００７】
また、フレキシブル基板同士が重なった状態で規制されることになり、重なり部分で相互のフレキシブル基板の信号線が近接することでクロストークの影響が生じる恐れがある。
【０００８】
そこで、本発明の目的は、機器を大型化することなく、簡易な構成でフレキシブル基板を安定して規制し、かつクロストークの影響を低減可能な電子機器を提供することにある。
【課題を解決するための手段】
【０００９】
上記の目的を達成するために、本発明に係る電子機器は、
基板間の接続を行う第１のフレキシブル基板と、第２のフレキシブル基板を備えた電子機器において、前記第２のフレキシブル基板は１平面内に曲げ形状部を持っており、前記第２のフレキシブル基板は前記曲げ形状部の領域で、前記第１のフレキシブル基板に重なり、前記第２のフレキシブル基板の前記曲げ形状部の領域は、それ以外の領域よりも柔らかく、前記曲げ形状部の内側は外側よりも柔らかく、前記第２のフレキシブル基板は、展開形状における第１の曲げ角よりも、小さい第２の曲げ角で固定されることを特徴とする。
【発明の効果】
【００１０】
本発明によれば、機器を大型化することなく、簡易な構成でフレキシブル基板を安定して規制し、かつクロストークの影響を低減可能な電子機器を提供することができる。
【図面の簡単な説明】
【００１１】
【図１】本発明に係る、カメラの外観斜視図
【図２】本発明に係る、カメラのブロック図
【図３】本発明に係る、カメラの内観斜視図
【図４】本発明に係る、背面外装カバーの内観図
【図５】本発明に係る、第２のフレキシブル基板の構成について示した図
【図６】本発明に係る、第２のフレキシブル基板の固定について示した図
【図７】本発明に係る、第２のフレキシブル基板の固定状態の形状について示した図
【発明を実施するための形態】
【００１２】
以下、本発明の好適な実施形態について添付図面を参照して詳細に説明する。なお、以下の実施形態は特許請求の範囲に係る本発明を限定するものでなく、また本実施形態で説明されている特徴の組み合わせの全てが本発明の課題の解決に必須のものとは限らない。
【００１３】
まずは、図１を用いてカメラ本体１の構成について説明する。図１は、カメラ本体１の外観斜視図である。図１（ａ）はカメラ本体１を被写体側から見た外観斜視図であり、図１（ｂ）はカメラ本体１を撮影者側から見た外観斜視図である。
【００１４】
カメラ本体１は、被写体の光学像を電気信号に変換する撮像素子１１（図２参照）を有するデジタルカメラである。カメラ本体１の背面には、撮像素子１１によって取得される画像や、各種設定画面等を表示するＴＦＴ２である。ＴＦＴ２にはタッチパネル３が設けられており、ユーザーのタッチ入力操作によってＴＦＴ２の表示切り換えや、レリーズ、カメラ本体１の各種設定変更を行うことができる。４は入力操作部であり、タッチパネル３と同様にカメラ本体１に各種設定変更やカメラ電源のＯＮ／ＯＦＦ等や、表示の点灯開始といった入力操作を行う。５は、カメラ本体１の外装部品となる樹脂や金属等で形成される背面外装カバーである。背面外装カバー５は、請求項記載の筐体に相当する。
【００１５】
６は、ユーザーがカメラ本体１を保持するグリップ部であり、ユーザーが握りやすいように凸形状となっている。７は、カメラ本体１の内部に配置される外部メモリ接続部１２（図２参照）に、ＣＦカードやＳＤカード等の外部メモリを挿抜するために、開閉されるメディアドアであり、グリップ部６を成す一つの外装部材である。
【００１６】
次に、カメラ本体１の主要な内部構成について説明する。図２は、本実施例のカメラ本体１のブロック図である。
【００１７】
前述した撮像素子１１で得られた画像信号は、カメラ動作の各制御を行うマイクロコンピュータ１０（以下、ＭＰＵ１０と称す）で処理される。取得された画像信号は、ＭＰＵ１０によってＴＦＴ２に表示される。また、ＭＰＵ１０にはタッチパネル３や入力操作部４による入力信号が伝達され、ＭＰＵ１０は入力信号に基づいたカメラ動作を制御する。１２は外部メモリ接続部で、ＭＰＵ１０は、外部メモリ接続部１２に接続されているＣＦカードやＳＤカード等の外部メモリに、画像データを記録させる。
【００１８】
次に、カメラ本体１の内部の構成について図３を用いて説明する。図３は、本実施例のカメラ本体１の内部構成を示す図である。
【００１９】
２０は、後述するフレキシブル基板接続部２１や、ＭＰＵ１０が実装された制御基板であり、カメラ制御に係る信号が制御基板２０に形成された信号線によってＭＰＵ１０へと伝送される。なお、外部メモリ接続部１２は、外部メモリが接続されるコネクタであり、制御基板２０に実装されている。ＭＰＵ１０は、外部メモリ接続部１２に接続されている外部メモリに画像を記録させるため、ＭＰＵ１０と外部メモリ接続部１２の間で画像信号を伝送する。画像信号は高速伝送が必要な信号であるため、信号へのノイズ影響を考慮し、基板上の配線長を極力短くしたい。そのため、ＭＰＵ１０は、外部メモリ接続部１２が配置されている制御基板２０の右側に配置し、ＭＰＵ１０と外部メモリ接続部１２の距離を近接させる。
【００２０】
２１は、入力操作部４と制御基板２０を接続するための第１のフレキシブル基板３０（図５参照）が接続される第１の接続部あり、フレキシブル基板が挿入されることで電気的な接続が可能なコネクタである。第１の接続部２１は、制御基板２０に実装されている。
【００２１】
次に、背面外装カバー５の内部構成について説明する。図４は、背面外装カバー５の内観図である。
【００２２】
３０は、入力操作部４の信号を伝送する第１のフレキシブル基板である。入力操作部４のスイッチや釦等に係る信号が配線されている。第１のフレキシブル基板は電子機器を構成する上で必須のもので、電子部品を接続する信号線を絶縁体の表面や内部に、電子回路に基づいて配線し、信号の伝送を行う。本実施形態に係るフレキシブル基板は、ポリイミド等の絶縁体で形成されるベース材の表、または表裏に銅箔等の導体によって信号線を形成し、その上にポリイミド等の絶縁体で形成されるカバーレイフィルムが貼りあわされた一般的な構成である。
【００２３】
第１のフレキシブル基板３０には、端子部３１と、第２の接続部３２が設けられている。第２の接続部３２は、フレキシブル基板が挿入されることで電気的な接続が可能なコネクタである。第２の接続部３２は、請求項記載の接続部に相当する。端子部３１が、制御基板２０に設けられた第１の接続部２１と接続することで、制御基板２０と第１のフレキシブル基板３０は電気的に接続される。４０は、入力操作部４の信号を伝送する第２のフレキシブル基板であり、第１のフレキシブル基板３０とは異なる入力操作部４のスイッチや釦等に係る信号が配線されている。第２のフレキシブル基板４０の端子部４３が、第１のフレキシブル基板３０に設けられた、第２の接続部３２と接続することで、第１のフレキシブル基板３０と第２のフレキシブル基板４０が電気的に接続される。第２のフレキシブル基板４０は、第１のフレキシブル基板３０に重なるように配置されることで、第１のフレキシブル基板３０のＺ方向の変位を規制する。そうすることで、電子機器内部において第１のフレキシブル基板３０を、安定して規制することが出来る。
【００２４】
次に、第１のフレキシブル基板３０と第２のフレキシブル基板４０の構成と固定方法について説明する。図５は、第２のフレキシブル基板４０の構成について示した図である。図６は、第２のフレキシブル基板４０の固定について示した図である。図７は、第２のフレキシブル基板４０の固定状態の形状について示した図である。図７（ａ）は、第２のフレキシブル基板４０の固定状態のＸＹ平面の形状を示した図であり、図７（ｂ）は図７（ａ）の矢視断面図である。
【００２５】
図５で示すように、第２のフレキシブル基板４０は１平面上に曲げ形状部４１をもっている。曲げ形状部４１は、その他の領域よりも柔らかい。曲げ形状部４１はその他領域よりも、配線密度が低く、かつカバーレイフィルムの開口率が高いことでその他領域よりも柔らかくなっている。配線密度とは、フレキシブル基板の面積に対して導体による配線が占める面積の割合のことである。具体的には、曲げ形状部４１はその他領域よりも、信号線の配線幅を細くすることで、配線の面積を少なくし配線密度を低くしている。また、カバーレイフィルムの開口率については、その他領域では開口部を設けずに、曲げ形状部４１に開口部を設けることでカバーレイフィルム開口率を高くしている。
【００２６】
また、曲げ形状部４１の内側４１ａは、外側４１ｂよりも柔らかい。内側４１ａは外側４１ｂよりも、配線密度が低く、かつカバーレイフィルムの開口率が高いことでその他領域よりも柔らかくなっている。具体的には、内側４１ａは外側４１ｂよりも、信号線の配線幅を細くしたり、信号線の数を少なくしたり、信号線間のクリアランスを大きくしたりすることで、配線の面積を少なくし配線密度を低くしている。また、カバーレイフィルムの開口率については、内側４１ａは外側４１ｂよりも、開口部の数を多くしたり、開口面積を広くしたりすることでカバーレイフィルム開口率を高くしている。
【００２７】
第２のフレキシブル基板４０は、曲げ形状部４１が第１のフレキシブル基板３０に重なるように配置され、第１のフレキシブル基板３０のＺ方向の変位を規制する。そうすることで、電子機器内部において第１のフレキシブル基板３０を、安定して規制することが出来る。
【００２８】
４４は、第２のフレキシブル基板４０の展開形状を示しており、端子部４３が第２の接続部３２に固定されていない状態の形状である。４４ａは、展開形状４４の第１の曲げ角を示しており、４０ａは組み付け状態での第２の曲げ角を示している。第２のフレキシブル基板４０は、第１の曲げ角４４ａよりも小さい第２の曲げ角４０ａで固定される。具体的には、第２のフレキシブル基板４０には、外側４１ｂ側に穴形状４２が設けられており、穴形状４２が背面外装カバー５のボス形状５ａに圧入固定され、かつ端子部４３が第２の接続部３２に接続されることで、第２のフレキシブル基板４０は固定されている。
【００２９】
上記のように、曲げ形状部４１をその他の領域よりも柔らかくし、展開形状４４の第１の曲げ角４４ａよりも小さい第２の曲げ角４０ａで固定することで、図７（ｂ）で示すように、曲げ形状部４１はＸＺ平面で角度を持ったドーム形状となる。
【００３０】
ドーム形状になる理由について説明する。ＸＹ平面において、展開形状４４の第１の曲げ角４４ａよりも小さい第２の曲げ角４０ａで固定することで、第２のフレキシブル基板４０が歪み、ＸＺ平面方向に立ち上がる箇所が生じることになる。その歪みは、第２のフレキシブル基板４０内の柔らかい領域で生じることになり、周囲領域よりも柔らかい曲げ形状部４１が変形する箇所となる。なお、曲げ形状４１の中でも内側４１ａの方が柔らかく、かつ外側４１ｂに設けられた穴形状４２が背面外装カバー５に固定されているため、内側４１ａが立ち上がるようにドーム形状のように変形することとなる。
【００３１】
また、図７（ｂ）で示すように、内側４１ａの方が外側４１ｂよりも、第１のフレキシブル基板３０と第２のフレキシブル基板４０のクリアランスが大きくなる形状となり、内側４１ａの方がクロストークの影響を受けづらい。そのため、高速で伝送するクロック信号や、アナログ信号、所定のインピーダンス値で配線する信号などの、ノイズ影響を考慮する信号が配線された構成においては、クロストークによるノイズ影響を考慮し、前記信号を内側４１ａに配線することにする。
【００３２】
上述した構成とすることで、第２のフレキシブル基板４０の端部にて、第１のフレキシブル基板３０の変位を規制する形状となり、信号線同士が重なることを防ぐことができるため、フレキシブル基板の安定した規制、かつクロストークを低減可能である。また、第１のフレキシブル基板３０と、第２のフレキシブル基板４０の外形に規制形状を設けずに、規制を行うことが可能なため、大型化することなく、簡易な構成で上記効果を得ることが可能である。
【００３３】
以上、本発明の好ましい実施形態について説明したが、本発明はこれらの実施形態に限定されず、その要旨の範囲内で種々の変形及び変更が可能である。
【符号の説明】
【００３４】
１  カメラ本体、２  ＴＦＴ、３  タッチパネル、５  背面外装カバー、
５ａ  ボス形状、１０  ＭＰＵ、１１  撮像素子、２０  制御基板、
３０  第１のフレキシブル基板、３２  第２の接続部、
４０  第２のフレキシブル基板、４０ａ  第１の曲げ角、４１  曲げ領域、
４１ａ  曲げ領域内側、４１ｂ  曲げ領域外側、４２  穴形状、４３  端子部、
４４  展開形状、４４ａ  第２の曲げ角
【図１】
2018181967.tif 000003
【図２】
2018181967.tif 000004
【図３】
2018181967.tif 000005
【図４】
2018181967.tif 000006
【図５】
2018181967.tif 000007
【図６】
2018181967.tif 000008
【図７】
2018181967.tif 000009